(57)【要約】【解決手段】医療用ナイフにおいて、刃部の表面及び裏面の両側には、刃先縁６ａを含む刃付け面９，１１を設けるとともに、両刃付け面９，１１間で区画される中間面を設け、両刃先縁６ａを結ぶ想定面Ｐ６に対し表面側の両刃付け面９がなす半刃先角α１６，β１７については、刃先縁６ａ側の外側刃面１６よりも中間面側の内側刃面１７ほど大きくなるように設定した。この両刃付け面９には外側刃面１６と内側刃面１７とで凹面９ａを形成した。また、前記中間面にも凹面を形成した。【効果】医療用ナイフにおいて切れ味を向上させることができる。【選択図】図４
2005103035.tif 000002
【特許請求の範囲】
【請求項１】
刃部にはその先端部から両基端部にわたり両外端縁を延設するとともにこの両外端縁間で区画される第一面と第二面とを設け、この両外端縁のうち少なくとも一方の外端縁に刃先縁を形成し、この刃部の第一面には刃先縁を含む刃付け面を設けた医療用ナイフにおいて、この第一面の刃付け面には刃先縁とその刃先縁の対辺になる境界内端部との間でその刃先縁及び境界内端部に沿って延びる複数の刃面を並設し、この各刃面のうち、互いに隣接する内外両側刃面については、この刃部で前記両外端縁を結ぶ想定面に対しこの内側刃面がなす刃先角が、この想定面に対しこの外側刃面がなす刃先角よりも大きく設定されていることを特徴とする医療用ナイフ。
【請求項２】
刃部にはその先端部から両基端部にわたり両外端縁を延設するとともにこの両外端縁間で区画される第一面と第二面とを設け、この両外端縁のうち少なくとも一方の外端縁に刃先縁を形成し、この刃部の第一面には刃先縁を含む刃付け面を設けた医療用ナイフにおいて、この第一面の刃付け面には刃先縁とその刃先縁の対辺になる境界内端部との間でその刃先縁及び境界内端部に沿って延びる複数の刃面を並設し、この各刃面のうち、刃先縁を含む外側刃面とその外側刃面以外の内側刃面については、この刃部で前記両外端縁を結ぶ想定面に対しこの内側刃面がなす刃先角は、この想定面に対しこの外側刃面がなす刃先角よりも大きい刃先角を含むことを特徴とする医療用ナイフ。
【請求項３】
刃部にはその先端部から両基端部にわたり両外端縁を延設するとともにこの両外端縁間で区画される第一面と第二面とを設け、この両外端縁のうち少なくとも一方の外端縁に刃先縁を形成し、この刃部で第一面と第二面とにはそれぞれ刃先縁を含む刃付け面を設けた医療用ナイフにおいて、第一面側の刃付け面と第二面側の刃付け面とがなす刃先角については、刃先縁側のものよりもその刃先縁の対辺になる境界内端部側のものほど大きくなるように設定したことを特徴とする医療用ナイフ。
【請求項４】
刃部にはその先端部から両基端部にわたり両外端縁を延設するとともにこの両外端縁間で区画される第一面と第二面とを設け、この両外端縁のうち少なくとも一方の外端縁に刃先縁を形成し、この刃部の第一面には刃先縁を含む刃付け面を設けた医療用ナイフにおいて、この第一面の刃付け面には刃先縁とその刃先縁の対辺になる境界内端部との間でその刃先縁及び境界内端部に沿って延びる複数の刃面を並設し、この各刃面のうち、互いに隣接する内外両側刃面については、外側刃面と内側刃面との境界端部の対辺になる外側刃面の外端部と内側刃面の内端部とを結ぶ想定面に対し窪む凹面を有していることを特徴とする医療用ナイフ。
【請求項５】
刃部にはその先端部から両基端部にわたり両外端縁を延設するとともにこの両外端縁間で区画される第一面と第二面とを設け、この両外端縁のうち少なくとも一方の外端縁に刃先縁を形成し、この刃部の第一面には刃先縁を含む刃付け面を設けた医療用ナイフにおいて、この第一面の刃付け面は、刃先縁とその刃先縁の対辺になる境界内端部とを結ぶ想定面に対し窪む凹面を含むことを特徴とする医療用ナイフ。
【請求項６】
刃部にはその先端部から両基端部にわたり両刃先縁を延設するとともにこの両刃先縁間で区画される第一面と第二面とを設け、この刃部の第一面には両側で刃先縁を含む刃付け面を設けるとともにこの両刃付け面間で区画される中間面を設けた医療用ナイフにおいて、この刃部で両刃先縁を結ぶ想定面に対し第一面側の両刃付け面がなす刃先角については、刃先縁側のものよりも中間面側のものほど大きくなるように設定したことを特徴とする医療用ナイフ。
【請求項７】
前記刃部の第二面には両側で刃先縁を含む刃付け面を設けるとともにこの両刃付け面間で区画される中間面を設け、この刃部で両刃先縁を結ぶ想定面に対し第二面側の両刃付け面がなす刃先角については、刃先縁側から中間面側にわたり一定になるように設定したことを特徴とする請求項６に記載の医療用ナイフ。
【請求項８】
前記刃部の第二面には両側で刃先縁を含む刃付け面を設けるとともにこの両刃付け面間で区画される中間面を設け、この刃部で両刃先縁を結ぶ想定面に対し第二面側の両刃付け面がなす刃先角については、刃先縁側のものよりも中間面側のものほど大きくなるように設定したことを特徴とする請求項６に記載の医療用ナイフ。
【請求項９】
刃部にはその先端部から両基端部にわたり両刃先縁を延設するとともにこの両刃先縁間で区画される第一面と第二面とを設け、この刃部で第一面と第二面とにはそれぞれ両側で刃先縁を含む刃付け面を設けるとともにこの両刃付け面間で区画される中間面を設けた医療用ナイフにおいて、この刃部で第一面両側の刃付け面と第二面両側の刃付け面とがなす刃先角については、刃先縁側のものよりも中間面側のものほど大きくなるように設定したことを特徴とする医療用ナイフ。
【請求項１０】
請求項６から請求項９のうちいずれかの請求項において、前記第一面側の刃付け面、または第一面側の刃付け面及び第二面側の刃付け面は、刃先縁を含む外側刃面と、この外側刃面と中間面との間の内側刃面とからなることを特徴とする医療用ナイフ。
【請求項１１】
前記刃付け面の外側刃面は刃先縁と内側刃面との間の幅寸法が刃部の先端部から基端部に向うほど次第に大きくなり、前記刃付け面の内側刃面は外側刃面と中間面との間の幅寸法が刃部の先端部から基端部に向うほど次第に小さくなることを特徴とする請求項１０に記載の医療用ナイフ。
【請求項１２】
前記中間面と両刃付け面との間の境界内端部は中間面の先端部から両基端部にわたり延設され、前記外側刃面はこの中間面の境界内端部の基端部と前記刃先縁の先端部と前記刃先縁の基端部とを結ぶ領域で区画され、前記内側刃面はこの中間面の境界内端部の先端部とこの中間面の境界内端部の基端部と前記刃先縁の先端部とを結ぶ領域で区画されていることを特徴とする請求項１１に記載の医療用ナイフ。
【請求項１３】
刃部にはその先端部から両基端部にわたり両刃先縁を延設するとともにこの両刃先縁間で区画される第一面と第二面とを設け、この刃部の第一面には両側で刃先縁を含む刃付け面を設けるとともにこの両刃付け面間で区画される中間面を設けた医療用ナイフにおいて、この刃部で第一面側の中間面にはこの両刃付け面との間の境界内端部を結ぶ想定面よりも窪む凹面を設けたことを特徴とする医療用ナイフ。
【請求項１４】
前記刃部の第二面には両側で刃先縁を含む刃付け面を設けるとともにこの両刃付け面間で区画される中間面を設け、この刃部で第二面側の中間面はこの両刃付け面との間の境界内端部を結ぶ平面であることを特徴とする請求項１３に記載の医療用ナイフ。
【請求項１５】
前記刃部の第二面には両側で刃先縁を含む刃付け面を設けるとともにこの両刃付け面間で区画される中間面を設け、この刃部で第二面側の中間面にはこの両刃付け面との間の境界内端部を結ぶ想定面よりも窪む凹面を設けたことを特徴とする請求項１３に記載の医療用ナイフ。
【請求項１６】
請求項１３または請求項１４または請求項１５において、前記第一面側の中間面、または第一面側の中間面及び第二面側の中間面で凹面は、それらの中間面と両刃付け面との間の境界内端部を通る円弧面をその境界内端部に沿って連続させたものであることを特徴とする医療用ナイフ。
【発明の詳細な説明】
【技術分野】
【０００１】
本発明は、眼球などの生体組織を切開する各種手術用切断具として利用される医療用ナイフに関するものである。
【背景技術】
【０００２】
下記特許文献１にかかる医療用ナイフ（図１，３参照）において、刃部１の上部面６で両刃付け面は、エッジ３と稜線６ｄとの間で区画された外側斜面６ａと、両稜線６ｄ間で区画された内側斜面６ｂとからなり、両エッジ３を結ぶ想定面５に対し、この内側斜面６ｂがなす半刃先角は、この外側斜面６ａがなす半刃先角よりも小さくなっている。また、刃部１の下部面７の両刃付け面では、エッジ３と稜線７ｃとの間で区画された斜面７ａがこの想定面５に対しなす半刃先角が一定になっているとともに、この稜線７ｃから連続する水平面７ｂがこの想定面５に対し平行になっている。
【特許文献１】特開２００１−２３８８９０号公報
【発明の開示】
【発明が解決しようとする課題】
【０００３】
上記のような刃先角の設定では、エッジ３を鋭利に形成した場合、刃部１の上部面６と下部面７との間の厚みが薄くなり易く、刃部１の強度が低下するおそれがあった。刃部１の強度を向上させるためにその厚みを維持した場合、エッジ３の鋭利性に欠け、切れ味が低下する原因になっていた。
【０００４】
この発明は、医療用ナイフにおいて、刃先角の設定などを改良することにより、切れ味を向上させることを目的としている。
【課題を解決するための手段】
【０００５】
後記実施形態の図面（図１〜４に示す第１実施形態、図５〜７に示す第２実施形態、図８〜１０に示す第３実施形態、図１１に示す第４実施形態、図１２〜１３に示す第１実施形態の別例１〜６）の符号を援用して本発明を説明する。
【０００６】
＊  請求項１〜３の発明（第１〜４実施形態に対応）
請求項１及び請求項２の発明にかかる医療用ナイフは下記の共通構成を有している。
この医療用ナイフにおいて、刃部（３）にはその先端部（尖端部４または丸みを持つ端部）から両基端部（５）にわたり両外端縁（６）を延設するとともにこの両外端縁（６）間で区画される第一面（表面７）と第二面（裏面８）とを設け、この両外端縁（６）のうち少なくとも一方の外端縁（６）に刃先縁（６ａ）を形成し、この刃部（３）の第一面（７）には刃先縁（６ａ）を含む刃付け面（９）を設けている。この第一面（７）の刃付け面（９）には刃先縁（６ａ）とその刃先縁（６ａ）の対辺になる境界内端部（１５）との間でその刃先縁（６ａ）及び境界内端部（１５）に沿って延びる複数の刃面（１６，１７）を並設している。
【０００７】
さらに、請求項１の発明で、前記第一面（７）の刃付け面（９）における各刃面（１６，１７）のうち、互いに隣接する内外両側刃面（１６，１７）については、この刃部（３）で前記両外端縁（６）を結ぶ想定面（Ｐ６）に対しこの内側刃面（１７）がなす刃先角（半刃先角β１７）が、この想定面（Ｐ６）に対しこの外側刃面（１６）がなす刃先角（半刃先角α１６）よりも大きく設定されている。
【０００８】
さらに、請求項２の発明で、前記第一面（７）の刃付け面（９）における各刃面（１６，１７）のうち、刃先縁（６ａ）を含む外側刃面（１６）とその外側刃面（１６）以外の内側刃面（１７）については、この刃部（３）で前記両外端縁（６）を結ぶ想定面（Ｐ６）に対しこの内側刃面（１７）がなす刃先角は、この想定面（Ｐ６）に対しこの外側刃面（１６）がなす刃先角（半刃先角α１６）よりも大きい刃先角（半刃先角β１７）を含んでいる。
【０００９】
ちなみに、前記刃付け面（９）の刃面（１６，１７）については、前記想定面（Ｐ６）に対する刃面（１６，１７）の距離が刃先縁（６ａ）側から境界内端部（１５）側に向うほど大きくなるように傾斜する形状（半刃先角α１６，β１７がプラスになる形状）と、同じく小さくなるように傾斜する形状（半刃先角α１６，β１７がマイナスになる形状）と、その距離が一定である形状（半刃先角α１６，β１７がゼロになる形状）とがあり得る。なお、第１〜４実施形態ですべての刃面（１６，１７）は刃先角（半刃先角α１６，β１７）がプラスになる形状に設定されている。
【００１０】
請求項３の発明にかかる医療用ナイフは下記のように構成されている。
この医療用ナイフにおいて、刃部（３）にはその先端部（尖端部４または丸みを持つ端部）から両基端部（５）にわたり両外端縁（６）を延設するとともにこの両外端縁（６）間で区画される第一面（表面７）と第二面（裏面８）とを設け、この両外端縁（６）のうち少なくとも一方の外端縁（６）に刃先縁（６ａ）を形成し、この刃部（３）で第一面（７）と第二面（８）とにはそれぞれ刃先縁（６ａ）を含む刃付け面（９，１１）を設けている。第一面（７）側の刃付け面（９）と第二面（８）側の刃付け面（１１，９）とがなす刃先角（第一面側の半刃先角と第二面側の半刃先角との和である全刃先角）については、刃先縁（６ａ）側のものよりもその刃先縁（６ａ）の対辺になる境界内端部（１５）側のものほど大きくなるように設定している。
【００１１】
請求項１〜３の発明では、上記刃先角（半刃先角α１６，β１７または全刃先角）の設定により、刃先縁（６ａ）を鋭利に形成して切れ味を向上させることができるとともに、刃先縁（６ａ）を鋭利にした場合でも第一面（７）と第二面（８）との間の厚みを確保することにより刃部（３）の強度を向上させることができる。
【００１２】
＊  請求項４〜５の発明（第１〜４実施形態に対応）
請求項４及び請求項５の発明にかかる医療用ナイフは下記の共通構成を有している。
この医療用ナイフにおいて、刃部（３）にはその先端部（尖端部４または丸みを持つ端部）から両基端部（５）にわたり両外端縁（６）を延設するとともにこの両外端縁（６）間で区画される第一面（７）と第二面（８）とを設け、この両外端縁（６）のうち少なくとも一方の外端縁（６）に刃先縁（６ａ）を形成し、この刃部（３）の第一面（７）には刃先縁（６ａ）を含む刃付け面（９）を設けている。
【００１３】
さらに、請求項４の発明で、前記第一面（７）の刃付け面（９）には刃先縁（６ａ）とその刃先縁（６ａ）の対辺になる境界内端部（１５）との間でその刃先縁（６ａ）及び境界内端部（１５）に沿って延びる複数の刃面（１６，１７）を並設している。この各刃面（１６，１７）のうち、互いに隣接する内外両側刃面（１６，１７）については、外側刃面（１６）と内側刃面（１７）との境界端部（１８）の対辺になる外側刃面（１６）の外端部（刃先縁６ａ）と内側刃面（１７）の内端部（境界内端部１５）とを結ぶ想定面（Ｐ９）に対し窪む凹面（９ａ）を有している。
【００１４】
さらに、請求項５の発明で、前記第一面（７）の刃付け面（９）は、刃先縁（６ａ）とその刃先縁（６ａ）の対辺になる境界内端部（１５）とを結ぶ想定面（Ｐ９）に対し窪む凹面（９ａ）を含んでいる。
【００１５】
例えば、両外端縁（６）を結ぶ想定面（Ｐ６）に直交し且つ境界内端部（１５）を通る想定面（Ｐ１５）上における第一面（７）と第二面（８）との間の厚み（Ｔ１５）のうち最大の厚みを（Ｔ１５Ｌ）とし、想定面（Ｐ９）に対する凹面（９ａ）の深さ（Ｈ９）のうち最大の深さを（Ｈ９Ｌ）とした場合、それらの間の比（Ｈ９Ｌ／Ｔ１５Ｌ）は０．０５以上０．５以下に設定されている。
【００１６】
請求項４〜５の発明では、上記刃付け面（９）の凹面（９ａ）により、生体組織に対する刃部（３）の接触面積を小さくして切断摩擦抵抗を小さくし、切れ味を向上させることができる。
【００１７】
＊  請求項６〜１２の発明
請求項６の発明にかかる医療用ナイフは、第１〜４実施形態に対応し、下記のように構成されている。
【００１８】
この医療用ナイフにおいて、刃部（３）にはその先端部（４）から両基端部（５）にわたり両刃先縁（６ａ）を延設するとともにこの両刃先縁（６ａ）間で区画される第一面（表面７）と第二面（裏面８）とを設け、この刃部（３）の第一面（７）には両側で刃先縁（６ａ）を含む刃付け面（９）を設けるとともにこの両刃付け面（９）間で区画される中間面（１０）を設けている。この刃部（３）で両刃先縁（６ａ）を結ぶ想定面（Ｐ６）に対し第一面（７）側の両刃付け面（９）がなす刃先角（半刃先角α１６，β１７）については、刃先縁（６ａ）側のものよりも中間面（１０）側のものほど大きくなるように設定している。例えば、両外端縁（６）を結ぶ想定面（Ｐ６）に直交し且つ刃付け面（９）と中間面（１０）との間の境界内端部（１５）を通る想定面（Ｐ１５）に対し、境界内端部（１５）から延びる中間面（１０）がなす角度を（θ１０）とし、この刃付け面（９）で境界内端部（１５）から延びる刃面（１７）がこの想定面（Ｐ１５）に対しなす角度を（θ１７）とした場合、この角度（θ１０）がこの角度（θ１７）よりも大きく設定されている。
【００１９】
請求項６の発明を前提とする請求項７の発明（第１，３，４実施形態に対応）において、前記刃部（３）の第二面（８）には両側で刃先縁（６ａ）を含む刃付け面（１１）を設けるとともにこの両刃付け面（１１）間で区画される中間面（１２）を設け、この刃部（３）で両刃先縁（６ａ）を結ぶ想定面（Ｐ６）に対し第二面（８）側の両刃付け面（１１）がなす刃先角（半刃先角α１１）については、刃先縁側（６ａ）から中間面（１１）側にわたり一定になるように設定している。
【００２０】
請求項６の発明を前提とする請求項８の発明（第２実施形態に対応）において、前記刃部（３）の第二面（８）には両側で刃先縁（６ａ）を含む刃付け面（９）を設けるとともにこの両刃付け面（９）間で区画される中間面（１０）を設け、この刃部（３）で両刃先縁（６ａ）を結ぶ想定面（Ｐ６）に対し第二面（８）側の両刃付け面（９）がなす刃先角（半刃先角α１６）については、刃先縁側（６ａ）のものよりも中間面（１０）側のものほど大きくなるように設定している。
【００２１】
請求項９の発明にかかる医療用ナイフは、第１〜４実施形態に対応し、下記のように構成されている。
この医療用ナイフにおいて、刃部（３）にはその先端部（４）から両基端部（５）にわたり両刃先縁（６ａ）を延設するとともにこの両刃先縁（６ａ）間で区画される第一面（表面７）と第二面（裏面８）とを設け、この刃部（３）で第一面（７）と第二面（８）とにはそれぞれ両側で刃先縁（６ａ）を含む刃付け面（９，１１）を設けるとともにこの両刃付け面（９，１１）間で区画される中間面（１０，１２）を設けている。この刃部（３）で第一面（７）両側の刃付け面（９）と第二面（８）両側の刃付け面（１１，９）とがなす刃先角（第一面側の半刃先角と第二面側の半刃先角との和である全刃先角）については、刃先縁（６ａ）側のものよりも中間面（１０，１２）側のものほど大きくなるように設定している。
【００２２】
請求項６から請求項９のうちいずれかの請求項の発明を前提とする請求項１０の発明（第２実施形態に対応）において、前記第一面（７）側の刃付け面（９）、または第一面（７）側の刃付け面（９）及び第二面（８）側の刃付け面（９）は、刃先縁（６ａ）を含む外側刃面（１６）と、この外側刃面（１６）と中間面（１０）との間の内側刃面（１７）とからなる。
【００２３】
請求項６〜１０の発明では、上記刃先角（半刃先角α１６，β１７または全刃先角）の設定により、刃先縁（６ａ）を鋭利に形成して切れ味を向上させることができるとともに、刃先縁（６ａ）を鋭利にした場合でも第一面（７）と第二面（８）との間の厚みを確保することにより刃部（３）の強度を向上させることができる。
【００２４】
請求項１０の発明を前提とする請求項１１の発明（第１〜４実施形態に対応）において、前記刃付け面（９）の外側刃面（１６）は刃先縁（６ａ）と内側刃面（１７）との間の幅寸法（Ｗ１６）が刃部（３）の先端部（４）から基端部（５）に向うほど次第に大きくなり、前記刃付け面（９）の内側刃面（１７）は外側刃面（１６）と中間面（１０）との間の幅寸法（Ｗ１７）が刃部（３）の先端部（４）から基端部（５）に向うほど次第に小さくなる。
【００２５】
請求項１１の発明を前提とする請求項１２の発明（第１〜４実施形態に対応）において、前記中間面（１０）と両刃付け面（９）との間の境界内端部（１５）は中間面（１０）の先端部（１３）から両基端部（１４）にわたり延設され、前記外側刃面（１６）はこの中間面（１０）の境界内端部（１５）の基端部（１４）と前記刃先縁（６ａ）の先端部（４）と前記刃先縁（６ａ）の基端部（５）とを結ぶ領域で区画され、前記内側刃面（１７）はこの中間面（１０）の境界内端部（１５）の先端部（１３）とこの中間面（１０）の境界内端部（１５）の基端部（１４）と前記刃先縁（６ａ）の先端部（４）とを結ぶ領域で区画されている。
【００２６】
請求項１１〜１２の発明では、刃部（３）の先端部（４）付近の両刃付け面（９）において内側刃面（１７）の幅寸法（Ｗ１７）が外側刃面（１６）の幅寸法（Ｗ１６）と比較して大きくなるので、両刃先縁（６ａ）の先端部（４）を刺し込む際、その刺し込み抵抗を小さくしたまま第一面（７）と第二面（８）との間の厚みを確保することにより刃部（３）の強度を向上させ、両刃先縁（６ａ）の先端部（４）の腰を強くして使用者の感触を良くすることができる。
【００２７】
＊  請求項１３〜１６の発明
請求項１３の発明にかかる医療用ナイフは、第１〜４実施形態に対応し、下記のように構成されている。
【００２８】
この医療用ナイフにおいて、刃部（３）にはその先端部（４）から両基端部（５）にわたり両刃先縁（６ａ）を延設するとともにこの両刃先縁（６ａ）間で区画される第一面（表面７）と第二面（裏面８）とを設け、この刃部（３）の第一面（７）には両側で刃先縁（６ａ）を含む刃付け面（９）を設けるとともにこの両刃付け面（９）間で区画される中間面（１０）を設けている。この刃部（３）で第一面（７）側の中間面（１０）にはこの両刃付け面（９）との間の境界内端部（１５）を結ぶ想定面（Ｐ１０）よりも窪む凹面（１０ａ）を設けている。例えば、この中間面（１０）で凹面（１０ａ）は、両境界内端部（１５）間で連続し、両境界内端部（１５）に沿って延設されている。その場合、両境界内端部（１５）は中間面（１０）の先端部（１３）から両基端部（１４）にわたり延設され、凹面（１０ａ）の間隔（Ｌ）はこの先端部（１３）から両基端部（１４）に至るほど大きくなるように設定されている。
【００２９】
請求項１３の発明を前提とする請求項１４の発明（第１，３，４実施形態に対応）において、前記刃部（３）の第二面（８）には両側で刃先縁（６ａ）を含む刃付け面（１１）を設けるとともにこの両刃付け面（１１）間で区画される中間面（１２）を設け、この刃部（３）で第二面（８）側の中間面（１２）はこの両刃付け面（１１）との間の境界内端部（２１）を結ぶ平面である。
【００３０】
請求項１３の発明を前提とする請求項１５の発明（第２実施形態に対応）において、前記刃部（３）の第二面（８）には両側で刃先縁（６ａ）を含む刃付け面（９）を設けるとともにこの両刃付け面（９）間で区画される中間面（１０）を設け、この刃部（３）で第二面（８）側の中間面（１０）にはこの両刃付け面（９）との間の境界内端部（１５）を結ぶ想定面（Ｐ１０）よりも窪む凹面（１０ａ）を設けている。例えば、この中間面（１０）で凹面（１０ａ）は、両境界内端部（１５）間で連続し、両境界内端部（１５）に沿って延設されている。
【００３１】
例えば、両外端縁（６）を結ぶ想定面（Ｐ６）に直交し且つ中間面（１０）を通る想定面（Ｐ１５）上における第一面（７）と第二面（８）との間の厚み（Ｔ１５，Ｔ１９，Ｔ２１）のうち最大の厚みを（Ｔ１５Ｌ）とし、想定面（Ｐ１０）に対する凹面（１０ａ）の深さ（Ｈ１０）のうち最大の深さを（Ｈ１０Ｌ）とした場合、それらの間の比（Ｈ１０Ｌ／Ｔ１５Ｌ）は０．０５以上０．５以下に設定されている。
【００３２】
請求項１３または請求項１４または請求項１５の発明を前提とする請求項１６の発明において、前記第一面（７）側の中間面（１０）、または第一面（７）側の中間面（１０）及び第二面（８）側の中間面（１０）で凹面（１０ａ）は、それらの中間面（１０）と両刃付け面（９）との間の境界内端部（１５）を通る円弧面をその境界内端部（１５）に沿って連続させたものである。例えば、その円弧面の曲率半径（Ｒ）は５ｍｍ以上５０ｍｍ以下に設定されている。
【００３３】
請求項１３〜１６の発明では、上記中間面（１０）の凹面（１０ａ）により、生体組織に対する刃部（３）の接触面積を小さくして切断摩擦抵抗を小さくし、切れ味を向上させることができる。
【００３４】
＊  第１７の発明（第２実施形態に対応）
この第１７の発明は、請求項１または請求項２の発明に下記・の構成のうちいずれかの構成を追加したものである。
【００３５】
・  前記刃部（３）の第二面（８）には前記第一面（７）の刃付け面（９）の刃先縁（６ａ）を含む刃付け面（９）を設け、この第二面（８）の刃付け面（９）にはこの刃先縁（６ａ）とその刃先縁（６ａ）の対辺になる境界内端部（１５）との間でその刃先縁（６ａ）及び境界内端部（１５）に沿って延びる複数の刃面（１６，１７）を並設し、この各刃面（１６，１７）のうち互いに隣接する内外両側刃面（１６，１７）については、この刃部（３）で両外端縁（６）を結ぶ想定面（Ｐ６）に対しこの内側刃面（１７）がなす刃先角（β１７）が、この想定面（Ｐ６）に対しこの外側刃面（１６）がなす刃先角（α１６）よりも大きく設定されている。
【００３６】
・  前記刃部（３）の第二面（８）には前記第一面（７）の刃付け面（９）の刃先縁（６ａ）を含む刃付け面（９）を設け、この第二面（８）の刃付け面（９）は刃先縁（６ａ）を含む外側刃面（１６）とその外側刃面（１６）以外の内側刃面（１７）とからなり、この刃部（３）で両外端縁（６）を結ぶ想定面（Ｐ６）に対しこの第二面（８）の刃付け面（９）の内側刃面（１７）がなす刃先角は、この想定面（Ｐ６）に対しこの第二面（８）の刃付け面（９）の外側刃面（１６）がなす刃先角（α１６）よりも大きい刃先角（β１７）を含んでいる。
【００３７】
＊  第１８の発明（第２実施形態に対応）
この第１８の発明は、請求項４または請求項５の発明に下記・の構成のうちいずれかの構成を追加したものである。
【００３８】
・  前記刃部（３）の第二面（８）には前記第一面（７）の刃付け面（９）の刃先縁（６ａ）を含む刃付け面（９）を設け、この第二面（８）の刃付け面（９）にはこの刃先縁（６ａ）とその刃先縁（６ａ）の対辺になる境界内端部（１５）との間でその刃先縁（６ａ）及び境界内端部（１５）に沿って延びる複数の刃面（１６，１７）を並設し、この各刃面（１６，１７）のうち互いに隣接する内外両側刃面（１６，１７）については、この外側刃面（１６）と内側刃面（１７）との境界端部（１８）の対辺になる外側刃面（１６）の外端部（刃先縁６ａ）と内側刃面（１７）の内端部（境界内端部１５）とを結ぶ想定面（Ｐ９）に対し窪む凹面（９ａ）を有している。
【００３９】
・  前記刃部（３）の第二面（８）には前記第一面（７）の刃付け面（９）の刃先縁（６ａ）を含む刃付け面（９）を設け、この第二面（８）の刃付け面（９）は、刃先縁（６ａ）とその刃先縁（６ａ）の対辺になる境界内端部（１５）とを結ぶ想定面（Ｐ９）に対し窪む凹面（９ａ）を含んでいる。
【発明の効果】
【００４０】
本発明は、医療用ナイフにおいて切れ味を向上させることができる。
【発明を実施するための最良の形態】
【００４１】
〔第１実施形態〕
まず、本発明の第１実施形態にかかる医療用ナイフについて図１〜４を参照して説明する。
【００４２】
図１（ａ）に示す医療用ナイフは、眼球を切開するための手術用切断具であり、合成樹脂からなる柄部１と、金属からなる刃板２とからなる。この刃板２は柄部１に取着されてく形状に屈曲され、この刃板２の先端部には図１（ｂ）（ｃ）に示す刃部３が形成されている。図２（ａ）（ｂ）に示すように、この刃部３には、尖端部４（先端部）から両基端部５にわたり両外端縁６が延設され、この両外端縁６間で表面７（第一面）と裏面８（第二面）とが区画されて形成されている。この両外端縁６の全体に刃先縁６ａが形成され、この表面７及び裏面８の尖端部４でこの両刃先縁６ａがなす交差角θ６については、１５°≦θ６≦１２０°に設定されている。図２（ａ）に示すように、この刃部３の表面７には両側で刃先縁６ａを含む刃付け面９が形成されているとともに、この両刃付け面９間で中間面１０が区画されて形成されている。図２（ｂ）に示すように、この刃部３の裏面８には両側で刃先縁６ａを含む刃付け面１１が形成されているとともに、この両刃付け面１１間で中間面１２が区画されて形成されている。
【００４３】
前記表面７側の中間面１０は、先端部１３と両基端部１４とを結ぶ三角形状領域で区画されている。この表面７側の両刃付け面９と中間面１０との間の境界内端部１５は、刃先縁６ａの対辺になり、中間面１０の先端部１３から両基端部１４にわたり延設されている。前記表面７側の両刃付け面９は、刃先縁６ａを含む外側刃面１６と、この外側刃面１６と中間面１０との間の内側刃面１７とからなる。この外側刃面１６と内側刃面１７とは、両刃先縁６ａと中間面１０の両境界内端部１５との間で、両刃先縁６ａの尖端部４と両境界内端部１５の基端部１４とを結ぶ境界端部１８で区画され、この両刃先縁６ａ及び両境界内端部１５に沿って延びている。この表面７で両外側刃面１６は、中間面１０の両境界内端部１５の基端部１４と両刃先縁６ａの尖端部４と両刃先縁６ａの基端部５とを結ぶ三角形状領域で区画され、刃先縁６ａと内側刃面１７との間の幅寸法Ｗ１６が刃先縁６ａの尖端部４から基端部５に向うほど次第に大きくなるように設定されている。この表面７で両内側刃面１７は、中間面１０の両境界内端部１５の先端部１３とこの両境界内端部１５の基端部１４と両刃先縁６ａの尖端部４とを結ぶ三角形状領域で区画され、外側刃面１６と中間面１０との間の幅寸法Ｗ１７が中間面１０の先端部１３から基端部１４に向うほど次第に小さくなるように設定され、両刃先縁６ａの尖端部４と中間面１０の先端部１３とを結ぶ境界部１７ａで互いに交差している。この表面７の中間面１０の先端部１３で両境界内端部１５がなす交差角θ１５については、１５°≦θ１５≦１２０°に設定されている。
【００４４】
この表面７側の中間面１０にはこの両境界内端部１５を結ぶ想定面Ｐ１０よりも窪む凹面１０ａが形成されている。この凹面１０ａは、この両境界内端部１５間で連続するように両境界内端部１５を通る円弧面をその境界内端部１５に沿って連続させたものであって、両境界内端部１５からそれらの間の中央部に至るほど深くなっており、両境界内端部１５間の中央部で最深部となっている。その円弧面の曲率半径Ｒは５ｍｍ以上５０ｍｍ以下好ましくは１０ｍｍ以上２５ｍｍ以下に設定されている。この凹面１０ａの間隔Ｌは両境界内端部１５の先端部１３から両基端部１４に至るほど大きくなるように設定され、この凹面１０ａの深さも両境界内端部１５の先端部１３から両基端部１４に至るほど大きくなっている。図２（ａ）のＡ１−Ａ１線断面、Ｂ１−Ｂ１線断面、Ｃ１−Ｃ１線断面及びＤ１−Ｄ１線断面において、それぞれ、両外端縁６を結ぶ想定面Ｐ６に直交し且つ境界内端部１５を通る想定面Ｐ１５上における表面７と裏面８との間の厚みをＴ１５、後記中間面１２の先端部１９または両境界内端部２１を通り且つこの想定面Ｐ１５に平行な想定面上における表面７と裏面８との間の厚みをＴ１９，Ｔ２１、これらの厚みＴ１５，Ｔ１９，Ｔ２１のうち最大の厚みをＴ１５Ｌとし、中間面１０で想定面Ｐ１０に対する凹面１０ａの深さＨ１０のうち最大深さをＨ１０Ｌ（前記最深部）とする。それらの間の比Ｈ１０Ｌ／Ｔ１５Ｌは０．０５以上０．５以下好ましくは０．１以上０．３以下に設定されている。その場合、Ｔ１５Ｌは０．０５ｍｍ以上３ｍｍ以下好ましくは０．１ｍｍ以上０．５ｍｍ以下に設定されている。また、両外端縁６を結ぶ想定面Ｐ６に直交し且つ刃付け面９と中間面１０との間の境界内端部１５を通る想定面Ｐ１５に対し、境界内端部１５から延びる中間面１０がなす角度をθ１０とし、この刃付け面９で境界内端部１５から延びる内側刃面１７がこの想定面Ｐ１５に対しなす角度をθ１７とする。この角度θ１０はこの角度θ１７よりも大きく設定されている。
【００４５】
前記裏面８側の中間面１２は、先端部１９と両基端部２０とを結ぶ三角形状領域で区画されている。この裏面８側の両刃付け面１１と中間面１２との間の境界内端部２１は、中間面１２の先端部１９から両基端部２０にわたり刃先縁６ａと平行に延設されている。この裏面８側の両刃付け面１１は、両刃先縁６ａの尖端部４と両刃先縁６ａの基端部５と中間面１２の両基端部２０と中間面１２の先端部１９とを結ぶ領域で区画され、両刃先縁６ａの尖端部４と中間面１２の先端部１９とを結ぶ境界部１１ａで互いに交差している。この裏面８の中間面１２の先端部１９で両境界内端部２１がなす交差角θ２１については、１５°≦θ２１≦１２０°に設定されている。この裏面８側の中間面１２は、両刃付け面１１との間の境界内端部２１を結ぶ平面状に形成されている。この中間面１２においても、前記中間面１０の凹面１０ａと同様な凹面を形成してもよい。
【００４６】
前記両刃先縁６ａを結ぶ想定面Ｐ６に対し、表面７側の両刃付け面９で外側刃面１６がなす半刃先角をα１６、表面７側の両刃付け面９で内側刃面１７がなす半刃先角をβ１７とした場合、この内側刃面１７の半刃先角β１７はこの外側刃面１６の半刃先角α１６よりも大きく設定されている。また、裏面８側の両刃付け面１１がなす半刃先角をα１１とした場合、この両刃付け面９の内側刃面１７とこの両刃付け面１１とがなす全刃先角（半刃先角β１７＋半刃先角α１１）は、この両刃付け面９の外側刃面１６とこの両刃付け面１１とがなす全刃先角（半刃先角α１６＋半刃先角α１１）よりも大きく設定されている。ちなみに、５°≦α１６≦３０°、１０°≦β１７≦６０°、０°≦α１１≦４５°に設定されている。
【００４７】
さらに、この表面７側の両刃付け面９は外側刃面１６の刃先縁６ａと内側刃面１７の境界内端部１５とを結ぶ想定面Ｐ９に対し窪む凹面９ａを有している。この凹面９ａは、外側刃面１６と内側刃面１７とからなり、それらの間の境界端部１８を想定面Ｐ９に対する最深部としている。図２（ａ）のＡ１−Ａ１線断面、Ｂ１−Ｂ１線断面、Ｃ１−Ｃ１線断面及びＤ１−Ｄ１線断面において、それぞれ、両外端縁６を結ぶ想定面Ｐ６に直交し且つ境界内端部１５を通る想定面Ｐ１５上における表面７と裏面８との間の厚みをＴ１５のうち最大の厚みをＴ１５Ｌとし、刃付け面９で想定面Ｐ９に対する凹面９ａの深さＨ９のうち最大深さをＨ９Ｌ（前記最深部）とする。それらの間の比Ｈ９Ｌ／Ｔ１５Ｌは０．０５以上０．５以下好ましくは０．１以上０．３以下に設定されている。
【００４８】
〔第２実施形態〕
次に、本発明の第２実施形態にかかる医療用ナイフについて第１実施形態との相違点を中心に図５〜７を参照して説明する。
【００４９】
この第２実施形態では、刃部３の裏面８が刃部３の表面７と同一形状になっている。前記両刃先縁６ａを結ぶ想定面Ｐ６に対し、表面７側及び裏面８側の両刃付け面９で外側刃面１６がなす半刃先角をα１６、表面７側及び裏面８側の両刃付け面９で内側刃面１７がなす半刃先角をβ１７とした場合、この内側刃面１７の半刃先角β１７はこの外側刃面１６の半刃先角α１６よりも大きく設定されている。また、表面７側の両刃付け面９の内側刃面１７と裏面８側の両刃付け面９の内側刃面１７とがなす全刃先角（半刃先角β１７＋半刃先角β１７）は、表面７側の両刃付け面９の外側刃面１６と裏面８側の両刃付け面９の外側刃面１６とがなす全刃先角（半刃先角α１６＋半刃先角α１６）よりも大きく設定されている。
【００５０】
〔第３実施形態〕
次に、本発明の第３実施形態にかかる医療用ナイフについて第１実施形態との相違点を中心に図８〜１０を参照して説明する。
【００５１】
この第３実施形態においては刃部３の表面７側の両刃付け面９で外側刃面１６が変更されている。第３実施形態の外側刃面１６は、刃先縁６ａを含む刃面部２２と、内側刃面１７との境界端部１８を含む刃面部２３とに境界端部２４により区画されている。前記両刃先縁６ａを結ぶ想定面Ｐ６に対し、表面７側の両刃付け面９で外側刃面１６の刃面部２２及び刃面部２３がなす半刃先角をそれぞれα２２，α２３、表面７側の両刃付け面９で内側刃面１７がなす半刃先角をβ１７とした場合、内側刃面１７の半刃先角β１７は外側刃面１６の半刃先角α２２及び半刃先角α２３（＜α２２）よりも大きく設定されている。また、裏面８側の両刃付け面１１がなす半刃先角をα１１とした場合、両刃付け面９の内側刃面１７と両刃付け面１１とがなす全刃先角（半刃先角β１７＋半刃先角α１１）は、両刃付け面９の外側刃面１６の半刃先角α２２，α２３と両刃付け面１１とがなす全刃先角（半刃先角α２２，α２３＋半刃先角α１１）よりも大きく設定されている。前記表側７の中間面１０において想定面Ｐ１０に対する凹面１０ａの深さＨ１０は、両境界内端部１５の先端部１３から両基端部１４にわたり一定になっている。
【００５２】
〔第４実施形態〕
次に、本発明の第４実施形態にかかる医療用ナイフについて第１実施形態との相違点を中心に図１１を参照して説明する。
【００５３】
この第４実施形態においては第１実施形態の刃部３に連続する刃部２５が付設されている。この刃部２５の表面２６においては、両側で刃付け面２７が刃部３の刃付け面９の外側刃面１６から連続して形成されているとともに、この両刃付け面２７間で中間面２８が区画されて刃部３の中間面１０から連続して形成され、この中間面２８には凹面２８ａが中間面１０の凹面１０ａから連続して形成されている。この刃部２５の裏面２９においては、両側で刃付け面３０が刃部３の刃付け面１１から連続して形成されているとともに、この両刃付け面３０間で平面状中間面３１が区画されて刃部３の平面状中間面１２から連続して形成されている。
【００５４】
〔別例〕
前記第１〜４実施形態において、刃板２の表面や、柄部１の平面部または曲面部にレーザ等によるマーキングを行い、刃部３の刺し込み深さや刃部３の刺し込み方向や刃部３の切り込み幅や刃物の種類や刃物の使用方法などの各種製品情報を表示してもよい。
【００５５】
例えば、図１２（ａ）に示す第１実施形態の別例１では、刃部３の表面７の中間面１０で幅方向へ直線状に延設されたマーキング線３２の延長線と両刃先縁６ａとの交差点間の寸法２．５ｍｍが切り込み幅を表示しているとともに、「Ｓｌｉｔ」が刃物の種類を表示している。
【００５６】
例えば、図１２（ｂ）に示す第１実施形態の別例２では、刃部３の表面７の中間面１０でマーキング線３３が両境界内端部１５に沿ってＶ状に延設されているとともに、両基端部１４の付近でマーキング点３４が形成されている。このＶ状マーキング線３３の頂点３３ａを通って幅方向へ延びる延長線、または、このＶ状マーキング線３３の両端部３３ｂを通って幅方向へ延びる延長線、または、この両マーキング点３４を通って幅方向へ延びる延長線と両刃先縁６ａとの交差点間の寸法とが、それぞれ、図示しない数値により切り込み幅を表示している。
【００５７】
例えば、図１２（ｃ）に示す第１実施形態の別例３は、上記別例１と別例２とを組み合わせたものである。
例えば、図１３（ａ）に示す第１実施形態の別例４では、刃部３の表面７の中間面１０で刺し込み方向を示す矢印状マーキング線３５が形成されているとともに、その矢印状マーキング線３５には「０〜５」の６段階の目盛が付されている。この矢印状マーキング線３５の頂点や各目盛「０〜５」を通って幅方向へ延びる延長線と両刃先縁６ａとの交差点間の寸法とが、それぞれ、図示しない数値により切り込み幅を表示している。
【００５８】
例えば、図１３（ｂ）に示す第１実施形態の別例５では、刃部３の表面７の中間面１０で三角形状の濃淡マーキング部３６が４段階の濃淡域で形成され、この濃淡マーキング部３６の各濃淡域を通って幅方向へ延びる延長線と両刃先縁６ａとの交差点間の寸法とが、それぞれ、図示しない数値により切り込み幅を表示している。
【００５９】
例えば、図１３（ｃ）に示す第１実施形態の別例６では、刃部３の表面７の中間面１０で星状のマーキング部３７が形成され、その星状マーキング部３７の各点を通って幅方向へ延びる延長線と両刃先縁６ａとの交差点間の寸法とが、それぞれ、図示しない数値により切り込み幅を表示している。
【図面の簡単な説明】
【００６０】
【図１】（ａ）は第１実施形態にかかる医療用ナイフを示す正面図であり、（ｂ）は（ａ）の部分拡大平面図であり、（ｃ）は（ａ）の部分拡大底面図である。
【図２】（ａ）は刃部の表側を示す図１（ｂ）の部分拡大図であり、（ｂ）は刃部の裏側を示す図１（ｂ）の部分拡大図である。
【図３】（ａ）は図２（ａ）のＡ１−Ａ１線拡大断面図であり、（ｂ）は図２（ａ）のＢ１−Ｂ１線拡大断面図であり、（ｃ）は図２（ａ）のＣ１−Ｃ１線拡大断面図であり、（ｄ）は図２（ａ）のＤ１−Ｄ１線拡大断面図である。
【図４】（ａ）は図３（ａ）の部分拡大図であり、（ｂ）は図３（ｂ）の部分拡大図であり、（ｃ）は図３（ｃ）の部分拡大図であり、（ｄ）は図３（ｄ）の部分拡大図である。
【図５】（ａ）は第２実施形態にかかる医療用ナイフにおいて刃部の表側を示す部分拡大図であり、（ｂ）は同じく刃部の裏側を示す部分拡大図である。
【図６】（ａ）は図５（ａ）のＡ２−Ａ２線拡大断面図であり、（ｂ）は図５（ａ）のＢ２−Ｂ２線拡大断面図であり、（ｃ）は図５（ａ）のＣ２−Ｃ２線拡大断面図であり、（ｄ）は図５（ａ）のＤ２−Ｄ２線拡大断面図である。
【図７】（ａ）は図６（ａ）の部分拡大図であり、（ｂ）は図６（ｂ）の部分拡大図であり、（ｃ）は図６（ｃ）の部分拡大図であり、（ｄ）は図６（ｄ）の部分拡大図である。
【図８】（ａ）は第３実施形態にかかる医療用ナイフにおいて刃部の表側を示す部分拡大図であり、（ｂ）は同じく刃部の裏側を示す部分拡大図である。
【図９】（ａ）は図８（ａ）のＡ３−Ａ３線拡大断面図であり、（ｂ）は図８（ａ）のＢ３−Ｂ３線拡大断面図であり、（ｃ）は図８（ａ）のＣ３−Ｃ３線拡大断面図であり、（ｄ）は図８（ａ）のＤ３−Ｄ３線拡大断面図である。
【図１０】（ａ）は図９（ａ）の部分拡大図であり、（ｂ）は図９（ｂ）の部分拡大図であり、（ｃ）は図９（ｃ）の部分拡大図であり、（ｄ）は図９（ｄ）の部分拡大図である。
【図１１】（ａ）は第４実施形態にかかる医療用ナイフにおいて刃部の表側を示す部分拡大図であり、（ｂ）は同じく刃部の裏側を示す部分拡大図であり、（ｃ）は（ａ）のＥ−Ｅ線拡大断面図である。
【図１２】（ａ）は第１実施形態の別例１を示す図２相当図であり、（ｂ）は第１実施形態の別例２を示す図２相当図であり、（ｃ）は第１実施形態の別例３を示す図２相当図である。
【図１３】（ａ）は第１実施形態の別例４を示す図２相当図であり、（ｂ）は第１実施形態の別例５を示す図２相当図であり、（ｃ）は第１実施形態の別例６を示す図２相当図である。
【符号の説明】
【００６１】
３…刃部、４…尖端部、５…基端部、６…外端縁、６ａ…刃先縁、７…表面（第一面）、８…裏面（第二面、）、９…刃付け面、１０…中間面、１０ａ…凹面、１１…刃付け面、１２…中間面、１３…先端部、１４…基端部、１５…境界内端部、１６…外側刃面、１７…内側刃面、１８…境界端部、２１…境界内端部、Ｐ６，Ｐ９，Ｐ１０…想定面、α１６，β１７…半刃先角、Ｗ１６，Ｗ１７…幅寸法。
【図１】
2005103035.tif 000003
【図２】
2005103035.tif 000004
【図３】
2005103035.tif 000005
【図４】
2005103035.tif 000006
【図５】
2005103035.tif 000007
【図６】
2005103035.tif 000008
【図７】
2005103035.tif 000009
【図８】
2005103035.tif 000010
【図９】
2005103035.tif 000011
【図１０】
2005103035.tif 000012
【図１１】
2005103035.tif 000013
【図１２】
2005103035.tif 000014
【図１３】
2005103035.tif 000015